(57)【要約】【課題】  複数の試験片を積層して収納する場合においても、試験片の落下を防止し、試験片を容易に収納位置に配置することが可能な試験片収納マガジンを提供する。【解決手段】  本体１３には、その中央部に試験片ＴＰより大きな幅を有する空間領域が形成されており、この本体１３の一面には背面板１２が固定されている。本体１３の前面に、扉部材１１と、この扉部材１１を開閉するための軸を中心に回転するツマミ１６とを有する扉機構が、左右一対上下４組（合計８個）設けられている。【選択図】        図１
0003216253.tif 000002
【実用新案登録請求の範囲】
【請求項１】
材料試験機に供給すべき試験片より大きな幅を有する開口部を備え、前記試験片を積層して収納する収納部と、前記開口部の前面に配設された扉機構とを備えた試験片収納マガジンであって、
前記扉機構は、
前記開口部の前面に配設された左右一対の扉部材と、前記左右一対の扉部材を、前記開口部の全域が開放された開放位置と、前記開口部の一部の領域が前記左右一対の扉部材により覆われる収納位置との間で、各々、左右方向に移動させる移動機構と、を備えた扉部を、上下方向に複数個配設したことを特徴とする試験片収納マガジン。
【請求項２】
請求項１に記載の試験片収納マガジンにおいて、
前記扉部は、
前記扉部材に形成された孔部内に配設された偏心カムと、
前記偏心カムに連結されたツマミと、を備え、
前記ツマミを回転させることにより前記偏心カムが前記孔部内において前記扉部材を押圧することで、前記扉部材を左右方向に移動させる試験片収納マガジン。
【請求項３】
請求項１または請求項２に記載の試験片収納マガジンにおいて、
前記扉部材に対して左右方向を長手方向として形成される長孔と、
前記収納部に立設され、前記長孔内に配置されるピンと、を備え、
前記長孔と前記ピンとが摺動することにより、前記扉部材の左右方向への移動を案内する試験片収納マガジン。
【考案の詳細な説明】
【技術分野】
【０００１】
この考案は、複数の試験片を積層して収納する試験片収納マガジンに関する。
【背景技術】
【０００２】
全自動材料試験機は、複数の試験片に対して自動的に材料試験を実行する材料試験機である。この全自動材料試験機においては、複数の試験片を試験片収納マガジンに収納しておけば、試験片収納マガジンからの試験片の取り出し、試験片の測寸、試験片に対する材料試験、試験片の回収、試験データの処理が、連続して自動的に実行される（特許文献１参照）。
【０００３】
このような全自動材料試験機で使用される試験片収納マガジンは、材料試験を行うための多数の試験片を積層して収納する構成を有する。特許文献２には、試料の幅より大きな幅を有する開口部が形成されたガイド部内に多数の試料を積層して収納する構成を有する試料ストッカが開示されている。この試料ストッカは、ガイド部に対してヒンジを介して接続され、ガイド部に形成された開口部を覆う位置と開放する位置との間を揺動する開閉部材を備えている。
【先行技術文献】
【特許文献】
【０００４】
【特許文献１】特開平９−２２９８３６号公報
【特許文献２】特開２００４−１０１４６９号公報
【考案の概要】
【考案が解決しようとする課題】
【０００５】
特許文献２に記載されたような構成を有する試験片収納マガジンを使用する場合においては、多数の試験片を積層して収納した場合に、開口部を開放する位置まで開閉部材を移動させた時に、全ての試験片の前面が開放されることから、積層された試験片が滑り落ち、落下してしまうという問題がある。
【０００６】
このような問題を解消するため、試験片の落下を防止するための縁を設け、この縁により試験片の落下を防止する構成を採用することもできる。しかしながら、このような構成を採用した場合においては、試験片を積層した状態で収納するときに、縁を避けて試験片を収納するため試験片を傾けて数枚ずつセットし、あるいは、収納部の上部に開口部を設け、この開口部から収納部に試験片を入れて底部まで移動させるなど、試験片セットに手間がかかるという問題があった。
【０００７】
この考案は上記課題を解決するためになされたものであり、複数の試験片を積層して収納する場合においても、試験片の落下を防止し、試験片を容易に収納位置に配置することが可能な試験片収納マガジンを提供することを目的とする。
【課題を解決するための手段】
【０００８】
請求項１に記載の考案は、材料試験機に供給すべき試験片より大きな幅を有する開口部を備え、前記試験片を積層して収納する収納部と、前記開口部の前面に配設された扉機構とを備えた試験片収納マガジンであって、前記扉機構は、前記開口部の前面に配設された左右一対の扉部材と、前記左右一対の扉部材を、前記開口部の全域が開放された開放位置と、前記開口部の一部の領域が前記左右一対の扉部材により覆われる収納位置との間で、各々、左右方向に移動させる移動機構と、を備えた扉部を、上下方向に複数個配設したことを特徴とする。
【０００９】
請求項２に記載の考案は、請求項１に記載の試験片収納マガジンにおいて、前記扉部は、前記扉部材に形成された孔部内に配設された偏心カムと、前記偏心カムに連結されたツマミと、を備え、前記ツマミを回転させることにより前記偏心カムが前記孔部内において前記扉部材を押圧することで、前記扉部材を左右方向に移動させる。
【００１０】
請求項３に記載の考案は、請求項１または請求項２に記載の試験片収納マガジンにおいて、前記扉部材に対して左右方向を長手方向として形成される長孔と、前記収納部に立設され、前記長孔内に配置されるピンと、を備え、前記長孔と前記ピンとが摺動することにより、前記扉部材の左右方向への移動を案内する。
【考案の効果】
【００１１】
請求項１に記載の考案によれば、上下方向に複数個配設された扉部を個別に開閉することにより、複数の試験片を積層して収納する場合においても、試験片の落下を防止し、試験片を容易に収納位置に配置することが可能となる。
【００１２】
請求項２に記載の考案によれば、ツマミを回転させることにより扉部材を容易に左右方向に移動させることができ、試験片の収納後に収納部の開口部の一部を扉部材により速やかに覆うことが可能となる。また、オペレータが扉部材に接触した場合等においても、扉部材が意図せずに開放されることを防止することが可能となる。
【００１３】
請求項３に記載の考案によれば、簡易な構成でありながら扉部材を左右方向に案内することができ、試験片の収納後に収納部の開口部の一部を扉部材により覆うことが可能となる。
【図面の簡単な説明】
【００１４】
【図１】この考案に係る試験片収納マガジンの斜視図である。
【図２】この考案に係る試験片収納マガジンの平面図である。
【図３】各扉機構の構成を示す正面図である。
【図４】各扉部材１１を左右方向に移動させるための移動機構による扉部材１１の移動動作を示す説明図である。
【図５】各扉部材１１を左右方向に移動させるための移動機構による扉部材１１の移動動作を示す説明図である。
【考案を実施するための形態】
【００１５】
以下、この考案の実施の形態を図面に基づいて説明する。図１は、この考案に係る試験片収納マガジンの斜視図である。また、図２は、この考案に係る試験片収納マガジンの平面図である。
【００１６】
この考案に係る試験片収納マガジンは、材料試験機に供給すべき試験片ＴＰより大きな幅を有する開口部を備え、試験片ＴＰを積層して収納する、本体１３、背面板１２および支持ハンドル１４から構成された収納部と、この開口部の前面に配設された扉部材１１を有する扉機構とを備えるものである。扉部材１１を有する扉機構は、上下方向に複数個(この実施形態においては４個）配設されている。
【００１７】
収納部を構成する本体１３には、その中央部に試験片ＴＰより大きな幅を有する空間領域が形成されており、この空間領域は複数の試験片ＴＰを積層するための領域を構成する。そして、この本体１３の一面には、試験片ＴＰより小さな幅を有する開口部１５が形成された背面板１２が固定されている。また、本体１３の両側には、この試験片収納マガジンを移動するときに使用される一対の支持ハンドル１４が付設されている。これらの本体１３および背面板１２により、材料試験機に供給すべき試験片ＴＰより大きな幅を有する開口部を備え、試験片ＴＰを積層して収納する収納部が構成される。
【００１８】
そして、この収納部を構成する本体１３の前面に、扉部材１１と、この扉部材１１を開閉するための、軸２１（図２参照）を中心に回転するツマミ１６とを有する扉機構が、左右一対上下４組（合計８個）設けられている。
【００１９】
図３は、各扉機構の構成を示す正面図である。また、図４および図５は、各扉部材１１を左右方向に移動させるための移動機構による扉部材１１の移動動作を示す説明図である。なお、図４は、左側の扉機構における扉部材１１が、開口部の全域が開放された開放位置に配置された状態を示している。また、図５は、左側の扉機構における扉部材１１が、開口部の一部の領域が扉部材１１により覆われる収納位置に配置された状態を示している。図４および図５においては、左側の扉機構を示しているが、右側の扉機構においても、これらと左右対称な状態で同様の動作により扉部材１１が開閉する。
【００２０】
図３に示すように、扉部材１１には、左右方向を向く４個の長孔１７が形成されており、これらの長孔１７内には、本体１３に立設されたピン１８が配置されている。このため、扉部材１１は、各長孔１７と各ピン１８とが摺動することにより、長孔１７のサイズに対応した距離だけ、左右方向に移動可能となっている。
【００２１】
また、図３から図５に示すように、扉部材１１には、上下方向を向く長孔２５が形成されている。この長孔２５内には、図１および図２に示すツマミ１６とともに回転する軸２１に偏心した状態で付設された円盤２２が配置されている。この軸２１および円盤２２は、偏心カムを構成する。この円盤２２には、ピン２４が立設されている。また、本体１３には、ピン２４と当接可能なストッパ２３が固定されている。なお、図３から図５においては内部構造を示すために、軸２１に取り付けられたツマミ１６は描かれていない。
【００２２】
このような構成を有する扉部材１１の移動機構において、軸２１をツマミ１６とともに図４および図５に示す反時計回り方向に回転させた場合においては、図４に示すように、軸２１に偏心した状態で付設された円盤２２が軸２１の左方向に移動し、円盤２２に立設されたピン２４がストッパ２３と当接する位置で停止する。この状態においては、円盤２２と長孔２５を介して係合する扉部材１１は、左側、すなわち、試験片ＴＰの前面の開口部の全域が開放された開放位置に配置される。なお、図４と対称位置に配置された扉部材１１は、同様に、右側に移動した解放位置に配置される。この状態においては、図１に示す上下４段の扉部のうち最も下側の扉部のように、試験片ＴＰ前面の開口部の全域が開放される。
【００２３】
一方、軸２１をツマミ１６とともに図４および図５に示す時計回り方向に回転させた場合においては、図５に示すように、軸２１に偏心した状態で付設された円盤２２が軸２１の右方向に移動し、円盤２２に立設されたピン２４がストッパ２３と当接する位置で停止する。この状態においては、円盤２２と長孔２５を介して係合する扉部材１１は、右側、すなわち、試験片ＴＰの前面の開口部の一部の領域が扉部材１１により覆われる収納位置に配置される。なお、図５と対称位置に配置された扉部材１１は、同様に、左側に移動した収納位置に配置される。この状態においては、図１に示す上下４段の扉部のうち上側３段の扉部のように、試験片ＴＰ前面の開口部の一部の領域が左右側から扉部材１１により覆われる。
【００２４】
以上のような構成を有する試験片収納マガジンに試験片ＴＰを収納するときには、最初に、図１に示す上下４段の扉部のうち最も下側の一対の扉部における扉部材１１を、図１に示すように、左右方向に離隔する解放位置に配置する。そして、複数の試験片ＴＰを収納部に積層して収納する。このときには、１枚の扉部材１１の高さ方向に対応する領域において試験片ＴＰを積層して載置すればよいことから、複数の試験片ＴＰを積層して収納する場合においても、試験片ＴＰの落下を防止し、試験片ＴＰを容易に収納位置に配置することが可能となる。
【００２５】
しかる後、一対の扉部における扉部材１１を互いに近接する収納位置に移動させる。これにより、試験片ＴＰの前面の開口部の一部の領域が左右一対の扉部材１１により覆われ、試験片ＴＰの落下が防止される。この状態においては、オペレータが扉部材１１に接触した場合等においても、ツマミ１６を回転させない限りは、扉部材１１が移動することはない。このため、扉部材１１が意図せずに収納位置から移動して開放されることを防止することが可能となる。
【００２６】
次に、図１に示す上下４段の扉部のうち下から二段目の一対の扉部における扉部材１１を、図１に示す状態から左右方向に離隔する解放位置に移動させる。そして、上述した項程と同様の工程により、試験片ＴＰ収納したのち、一対の扉部材１１を収納位置まで移動させる。このような動作を、図１に示す上下４段の扉部に対応する全ての領域について実行することにより、試験片収納マガジン内への試験片ＴＰの収納が完了する。
【００２７】
以上のように、この考案に係る試験片収納マガジンによれば、多段に配置された扉部における扉部材１１を下方から順次移動させることにより、多数の試験片ＴＰを積層して収納することができる。このため、多数の試験片ＴＰを積層して収納する場合においても、試験片ＴＰの落下を防止し、試験片ＴＰを容易に収納位置に容易に配置することが可能となる。
【符号の説明】
【００２８】
１１      扉部材
１２      背面板
１３      本体
１６      ツマミ
１７      長孔
１８      ピン
２１      軸
２２      円盤
２３      ストッパ
２４      ピン
２５      長孔
ＴＰ      試験片
【図１】
0003216253.tif 000003
【図２】
0003216253.tif 000004
【図３】
0003216253.tif 000005
【図４】
0003216253.tif 000006
【図５】
0003216253.tif 000007